(57)【要約】【課題】本発明はストラップ自動巻き取り機構を備えたカメラを提供する。【解決手段】カメラ１は、本体筐体２を吊り下げ可能なストラップ本体１０を少なくともその先端部を本体筐体２外に位置させ、その基端部を本体筐体２に形成されている出し入れ口を通して当該本体筐体２内に収納し、本体筐体２内に、ストラップ本体１０の基端部が取り付けられ、巻き取り用バネ８の弾性力で、ストラップ本体１０を長さ調整自在に巻き取る巻き取りリール５を収納している。したがって、ユーザの手の大きさや体の大小及びカメラ１の利用形態等に応じてストラップ本体１０の長さを調節することができ、カメラ１を利用性の良好なものとすることができる。【選択図】　　　　　図１
2004013004.tif 000002
【特許請求の範囲】
【請求項１】
本体筐体を吊り下げ可能なストラップの取り付けられているカメラにおいて、前記ストラップは、少なくともその先端部が前記本体筐体外に位置し、その基端部が当該本体筐体に形成されている出し入れ口を通して当該本体筐体内に収納され、当該本体筐体内に、前記ストラップの基端部が取り付けられ、所定の弾性部材の弾性力で、当該ストラップを長さ調整自在に巻き取る巻き取りリールが収納されていることを特徴とするカメラ。
【請求項２】
前記カメラは、前記本体筐体の前記ストラップの出し入れ口部分に、当該ストラップの任意の引き出し位置で、当該ストラップを位置固定する位置調整機構部が設けられていることを特徴とする請求項１記載のカメラ。
【請求項３】
前記ストラップは、前記本体筐体から突出した先端部に、当該ストラップの先端部が当該本体筐体内に引き込まれるのを防止するストラップエンドストッパーが取り付けられていることを特徴とする請求項１または請求項２記載のカメラ。
【請求項４】
前記ストラップエンドストッパーは、アクセサリ等の装飾品を取付可能で、所定の滑り止め加工の施されている穴部が形成されていることを特徴とする請求項３記載のカメラ。
【請求項５】
前記ストラップは、所定の長さ寸法目盛りが付与されていることを特徴とする請求項１から請求項４のいずれかに記載のカメラ。
【請求項６】
前記カメラは、当該カメラの動作に必要な充電池を前記本体筐体に内蔵し、前記巻き取りリールは、前記ストラップの引き出し及び巻き取りに伴う回転で発電する発電機構を内蔵し、当該発電機構の発電で前記充電池を充電することを特徴とする請求項１から請求項５のいずれかに記載のカメラ。
【発明の詳細な説明】
【０００１】
【発明の属する技術分野】
本発明は、カメラに関し、詳細には、ストラップ自動巻き取り機構を備えたカメラに関する。
【０００２】
【従来の技術】
従来からカメラには、ストラップ取付部がカメラの本体筐体の外面部に設けられており、ストラップ取付部にストラップが取り付けられて、携帯性を向上させている。
【０００３】
すなわち、従来、カメラには、ストラップ取付部がカメラの本体筐体の外面部に固定的に形成されており、このストラップ取付部にストラップが固定的に取り付けられている。
【０００４】
したがって、ストラップを取り外すには、ストラップ取付部に固定されているストラップをストラップ取付部から取り外すこととなり、また、ストラップの長さは、固定された長さとなっている。
【０００５】
【発明が解決しようとする課題】
しかしながら、このような従来のカメラにあっては、カメラの本体筐体の外面部に固定的に設けられたストラップ取付部に固定的にストラップが取り付けられていたため、カメラの稼働時、携帯時及び格納時のそれぞれのシチュエーションに完全対応しているとは言い難かった。例えば、撮影時において、ストラップが不必要に長いと、レンズ部にストラップが掛かり、撮影画像が台無しになることがあった。また、長さの短いハンドストラップでは、短いことから機動性に富んでいるが、ハンドストラップを片手にはめる状態となり、片手が常時占領されて、持ち運びしにくく、また、不意にカメラをぶつけてしまうことがあった。さらに、長さの長いネックストラップにあっては、長いことから持ち運び性は良いが、機動性に欠けていた。
【０００６】
そこで、請求項１記載の発明は、本体筐体を吊り下げ可能なストラップを少なくともその先端部を本体筐体外に位置させ、その基端部を本体筐体に形成されている出し入れ口を通して当該本体筐体内に収納し、当該本体筐体内に、ストラップの基端部が取り付けられ、所定の弾性部材の弾性力で、当該ストラップを長さ調整自在に巻き取る巻き取りリールを収納することにより、ユーザの手の大きさや体の大小及びカメラの利用形態等に応じてストラップの長さを調節し、例えば、カメラを頻繁に使用する場合は、適度な短さにストラップ長を調節してハンドストラップとしの機動性を向上させ、カメラを殆ど使用しない場合は、適度な長さにストラップ長を調節しネックストラップとして移動の負荷を軽減し、さらに、バック等への収納時には、ストラップを完全に本体へ収納して、ストラップを邪魔にならないようにする等のストラップの長さを自由に調節し、利用性の良好なカメラを提供することを目的としている。
【０００７】
請求項２記載の発明は、本体筐体のストラップの出し入れ口部分に、当該ストラップを任意の引き出し位置で位置固定する位置調整機構部を設けることにより、ストラップの長さを簡単かつ自由に調節して固定し、より一層利用性の良好なカメラを提供することを目的としている。
【０００８】
請求項３記載の発明は、ストラップの本体筐体から突出した先端部に、当該ストラップの先端部が当該本体筐体内に引き込まれるのを防止するストラップエンドストッパーを取り付けることにより、ストラップの先端部が本体筐体内に引き込まれてしまうのをストラップエンドストッパーで防止して、ストラップを簡単に引き出せるようにし、より一層利用性の良好なカメラを提供することを目的としている。
【０００９】
請求項４記載の発明は、ストラップエンドストッパーに、アクセサリ等の装飾品を取付可能で、所定の滑り止め加工の施されている穴部を形成することにより、ストラップエンドストッパーの位置で本体筐体内に引き込まれるのが防止された状態のストラップをストラップエンドストッパーでより適切に引き出せるようにするとともに、装飾品を任意に取り付け可能とし、より一層利用性を向上させるとともに、愛着感を向上させることのできるカメラを提供することを目的としている。
【００１０】
請求項５記載の発明は、ストラップに、所定の長さ寸法目盛りを付与することにより、マクロ撮影・望遠撮影・近距離撮影・通常撮影時等に、被写体との距離を簡単に測定したり、日用品の大きさ等を簡単に測定できるようにし、より一層利用性を向上させることのできるカメラを提供することを目的としている。
【００１１】
請求項６記載の発明は、カメラの動作に必要な充電池を本体筐体に内蔵し、巻き取りリールに、ストラップの引き出し及び巻き取りに伴う回転で発電する発電機構を内蔵して、発電機構の発電で充電池を充電することにより、撮影中に電池が無くなって、撮影ができなくなることを防止するとともに、環境対応性を向上させ、より一層利用性の良好なカメラを提供することを目的としている。
【００１２】
【課題を解決するための手段】
請求項１記載の発明のカメラは、本体筐体を吊り下げ可能なストラップの取り付けられているカメラにおいて、前記ストラップは、少なくともその先端部が前記本体筐体外に位置し、その基端部が当該本体筐体に形成されている出し入れ口を通して当該本体筐体内に収納され、当該本体筐体内に、前記ストラップの基端部が取り付けられ、所定の弾性部材の弾性力で、当該ストラップを長さ調整自在に巻き取る巻き取りリールが収納されていることにより、上記目的を達成している。
【００１３】
上記構成によれば、本体筐体を吊り下げ可能なストラップを少なくともその先端部を本体筐体外に位置させ、その基端部を本体筐体に形成されている出し入れ口を通して当該本体筐体内に収納し、当該本体筐体内に、ストラップの基端部が取り付けられ、所定の弾性部材の弾性力で、当該ストラップを長さ調整自在に巻き取る巻き取りリールを収納するので、ユーザの手の大きさや体の大小及びカメラの利用形態等に応じてストラップの長さを調節することができ、例えば、カメラを頻繁に使用する場合は、適度な短さにストラップ長を調節してハンドストラップとしの機動性を向上させ、カメラを殆ど使用しない場合は、適度な長さにストラップ長を調節しネックストラップとして移動の負荷を軽減し、さらに、バック等への収納時には、ストラップを完全に本体へ収納して、ストラップを邪魔にならないようにする等のストラップの長さを自由に調節することができ、カメラを利用性の良好なものとすることができる。
【００１４】
この場合、例えば、請求項２に記載するように、前記カメラは、前記本体筐体の前記ストラップの出し入れ口部分に、当該ストラップの任意の引き出し位置で、当該ストラップを位置固定する位置調整機構部が設けられているものであってもよい。
【００１５】
上記構成によれば、本体筐体のストラップの出し入れ口部分に、当該ストラップを任意の引き出し位置で位置固定する位置調整機構部を設けているので、ストラップの長さを簡単かつ自由に調節して固定することができ、カメラを利用性の良好なものとすることができる。
【００１６】
また、例えば、請求項３に記載するように、前記ストラップは、前記本体筐体から突出した先端部に、当該ストラップの先端部が当該本体筐体内に引き込まれるのを防止するストラップエンドストッパーが取り付けられていてもよい。
【００１７】
上記構成によれば、ストラップの本体筐体から突出した先端部に、当該ストラップの先端部が当該本体筐体内に引き込まれるのを防止するストラップエンドストッパーを取り付けているので、ストラップの先端部が本体筐体内に引き込まれてしまうのをストラップエンドストッパーで防止して、ストラップを簡単に引き出せるようにすることができ、カメラをより一層利用性の良好なものとすることがことができる。
【００１８】
さらに、例えば、請求項４に記載するように、前記ストラップエンドストッパーは、アクセサリ等の装飾品を取付可能で、所定の滑り止め加工の施されている穴部が形成されていてもよい。
【００１９】
上記構成によれば、ストラップエンドストッパーに、アクセサリ等の装飾品を取付可能で、所定の滑り止め加工の施されている穴部を形成しているので、ストラップエンドストッパーの位置で本体筐体内に引き込まれるのが防止された状態のストラップをストラップエンドストッパーでより適切に引き出せるようにすることができるとともに、装飾品を任意に取り付け可能とすることができ、カメラをより一層利用性の良好なものとすることができるとともに、愛着感を向上させることができる。
【００２０】
また、例えば、請求項５に記載するように、前記ストラップは、所定の長さ寸法目盛りが付与されていてもよい。
【００２１】
上記構成によれば、ストラップに、所定の長さ寸法目盛りを付与しているので、マクロ撮影・望遠撮影・近距離撮影・通常撮影時等に、被写体との距離を簡単に測定したり、日用品の大きさ等を簡単に測定することができ、カメラをより一層利用性の良好なものとすることができる。
【００２２】
さらに、例えば、請求項６に記載するように、前記カメラは、当該カメラの動作に必要な充電池を前記本体筐体に内蔵し、前記巻き取りリールは、前記ストラップの引き出し及び巻き取りに伴う回転で発電する発電機構を内蔵し、当該発電機構の発電で前記充電池を充電するものであってもよい。
【００２３】
上記構成によれば、カメラの動作に必要な充電池を本体筐体に内蔵し、巻き取りリールに、ストラップの引き出し及び巻き取りに伴う回転で発電する発電機構を内蔵して、発電機構の発電で充電池を充電するので、撮影中に電池が無くなって、撮影ができなくなることを防止することができるとともに、環境対応性を向上させることができ、カメラをより一層利用性の良好なものとすることができる。
【００２４】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２５】
図１は、本発明のカメラの第１の実施の形態を適用したカメラ１の概略構成斜視図である。
【００２６】
図１において、カメラ１は、本体筐体２の全面に、レンズ部３とファインダ部４が設けられており、また、図示しないが、撮影を行う操作ボタンや各種操作キー等が設けられている。
【００２７】
カメラ１は、本体筐体２内に、巻き取りリール５がリール軸６を介して本体筐体２に対して回転自在に設けられており、巻き取りリール５は、リール軸６に固定されていて、リール軸６が、本体筐体２に対して回転自在に取り付けられている。
【００２８】
リール軸６には、巻き取り用ひも７の一端部が固定されており、巻き取り用ひも７は、リール軸６に所定量巻き付けられているとともに、その他端部が巻き取り用バネ（弾性部材）８の一端部に連結されている。巻き取り用バネ８は、その他端部が本体筐体２に固定されている留め金９に連結されている。
【００２９】
したがって、巻き取りリール５は、巻き取り用ひも７を介して、巻き取り用バネ８により、図１の時計方向への回転力（弾性力）が作用している。
【００３０】
この巻き取りリール５には、ストラップ本体１０の基端部が固定されており、ストラップ本体１０の先端部には、ストラップエンドストッパー１１が取り付けられている。このストラップエンドストッパー１１には、滑り止め穴（穴部）１１ａが形成されており、滑り止め穴１１ａは、ストラップエンドストッパー１１を掴んで操作する際の滑り止めとなっている。
【００３１】
また、この滑り止め穴１１ａには、アクセサリ等の装飾品を取り付けることができ、ストラップエンドストッパー１１またはストラップエンドストッパー１１の滑り止め穴１１ａに取り付けられた装飾品を引っ張ることで、より一層ストラップ本体１０を適切に引き出すことができる。
【００３２】
さらに、ストラップ本体１０にメートル寸法目盛りやインチ寸法目盛り等の長さ寸法目盛りを付与することで、メジャー機能を付与してもよい。
【００３３】
カメラ１の本体筐体２の側面には、図示しないが、ストラップ本体１０が通過するストラップ用穴（出し入れ口）が形成されており、ストラップ用穴を挟んで、スライドストッパー１２とストッパー受け１３が取り付けられている。ストッパー受け１３は、本体筐体２に固定されており、スライドストッパー１２は、図１に両矢印で示すように、ストッパー受け１３の方向及びストッパー受け１３とは反対方向に移動可能に本体筐体２に取り付けられているとともに、少なくともストラップ本体１０を挟んでストッパー受け１３に当接する位置で位置固定可能となっている。これらスライドストッパー１２とストッパー受け１３は、位置調整機構１４を構成している。
【００３４】
次に、本実施の形態の作用を説明する。本実施の形態のカメラ１は、ストラップ本体１０を、本体筐体２への巻き取り量を調整して、利用形態に応じた長さに調整することができる。
【００３５】
すなわち、カメラ１を使用しないときやバッグ等に収納しておく場合等のようにストラップ本体１０を利用する必要がないときには、ストラップ本体１０は、カメラ１の本体筐体２内の巻き取りリール５に巻き取られて、本体筐体２内に収納され、ストラップエンドストッパー１１のみが、本体筐体２外に出ている状態となっている。
【００３６】
この状態で、ストラップ本体１０を使用するときには、本体筐体２外に出ているストラップエンドストッパー１１を引っ張ることで、ストラップ本体１０が、巻き取りリール５から繰り出され、巻き取りリール５が、リール軸６とともに、図１の反時計方向に回転しつつストラップ本体１０を送り出す。このとき、巻き取りリール５が回転することで、リール軸６も回転して、リール軸６に巻き取られている巻き取り用ひも７が巻き取り用バネ８を伸張させ、巻き取り用バネ８の張力が強まっていく。また、ストラップエンドストッパー１１に滑り止め穴１１ａが形成されているため、ストラップエンドストッパー１１を掴んで操作する際にストラップエンドストッパー１１が滑り止めとなって、適切にストラップ本体１０を引き出すことができる。
【００３７】
カメラ１の利用者が、ストラップ本体１０を必要な長さだけ引っ張り出すと、スライドストッパー１２をストッパー受け１３方向にスライド移動させて、ストラップ本体１０をスライドストッパー１２とストッパー受け１３とで挟み込んで、ストラップ本体１０の位置を完全に固定する。
【００３８】
したがって、ストラップ本体１０の長さを利用者の必要な任意の長さに調整することができる。
【００３９】
また、この状態で、ストラップ本体１０の長さを調節する際には、スライドストッパー１２をストッパー受け１３とは逆方向（ストッパー受け１３から引き離す方向）にスライド移動させることで、ストラップ本体１０の固定が解除され、再度、ストラップ本体１０を引き出すか、ストラップ本体１０が巻き取り用バネ８の張力で引き込まれるのを調整することで、任意の長さに調節することができる。
【００４０】
そして、カメラ１の本体筐体２内にストラップ本体１０を収納する際には、スライドストッパー１２をストッパー受け１３とは逆方向にスライドさせた状態を保持することで、巻き取り用バネ８が巻き取り用ひも７を介してバネ力（張力）で、リール軸６に巻かれている巻き取り用ひも７をリール軸６から引き出して、巻き取りリール５を図１の時計方向に回転させ、巻き取りリール５が、ストラップ本体１０を巻き取りリール５に自動的に巻き付けて、ストラップ本体１０を本体筐体２内に引き込む。
【００４１】
このように、本実施の形態のカメラ１は、本体筐体２を吊り下げ可能なストラップ本体１０を少なくともその先端部を本体筐体２外に位置させ、その基端部を本体筐体２に形成されている出し入れ口を通して当該本体筐体２内に収納し、本体筐体２内に、ストラップ本体１０の基端部が取り付けられ、巻き取り用バネ８の弾性力で、ストラップ本体１０を長さ調整自在に巻き取る巻き取りリール５を収納している。
【００４２】
したがって、ユーザの手の大きさや体の大小及びカメラ１の利用形態等に応じてストラップ本体１０の長さを調節することができ、例えば、カメラ１を頻繁に使用する場合は、適度な短さにストラップ長を調節してハンドストラップとしの機動性を向上させ、カメラ１を殆ど使用しない場合は、適度な長さにストラップ長を調節しネックストラップとして移動の負荷を軽減し、さらに、バック等への収納時には、ストラップ本体１０を完全に本体へ収納して、ストラップ本体１０を邪魔にならないようにする等のストラップ本体１０の長さを自由に調節することができ、カメラ１を利用性の良好なものとすることができる。
【００４３】
また、本実施の形態のカメラ１は、本体筐体２のストラップ本体１０の出し入れ口部分に、ストラップ本体１０を任意の引き出し位置で位置固定するスライドストッパー１２とストッパー受け１３からなる位置調整機構１４を設けている。
【００４４】
したがって、ストラップ本体１０の長さを簡単かつ自由に調節して固定することができ、カメラ１を利用性の良好なものとすることができる。
【００４５】
さらに、本実施の形態のカメラ１は、ストラップ本体１０の本体筐体２から突出した先端部に、ストラップ本体１０の先端部が本体筐体２内に引き込まれるのを防止するストラップエンドストッパー１２を取り付けている。
【００４６】
したがって、ストラップ本体１０の先端部が本体筐体２内に引き込まれてしまうのをストラップエンドストッパー１２で防止して、ストラップ本体１０を簡単に引き出せるようにすることができ、カメラ１をより一層利用性の良好なものとすることがことができる。
【００４７】
また、本実施の形態のカメラ１は、ストラップエンドストッパー１２に、アクセサリ等の装飾品を取付可能で、所定の滑り止め加工の施されている滑り止め穴１１ａを形成している。
【００４８】
したがって、ストラップエンドストッパー１２の位置で本体筐体２内に引き込まれるのが防止された状態のストラップ本体１０をストラップエンドストッパー１２でより適切に引き出せるようにすることができるとともに、装飾品を任意に取り付け可能とすることができ、カメラ１をより一層利用性の良好なものとすることができるとともに、愛着感を向上させることができる。
【００４９】
さらに、本実施の形態のカメラ１は、ストラップ本体１０に、所定の長さ寸法目盛りを付与している。
【００５０】
したがって、マクロ撮影・望遠撮影・近距離撮影・通常撮影時等に、被写体との距離を簡単に測定したり、日用品の大きさ等を簡単に測定することができ、カメラ１をより一層利用性の良好なものとすることができる。
【００５１】
図２は、本発明のカメラの第２の実施の形態を適用したカメラ２０の概略構成斜視図である。
【００５２】
なお、本実施の形態は、上記第１の実施の形態のカメラ１と同様のカメラに適用したものであり、本実施の形態の説明においては、上記第１の実施の形態のカメラ１と同様の構成部分には、同一の符号を付して、その詳細な説明を省略する。
【００５３】
図２において、本実施の形態のカメラ２０は、本体筐体２内にカメラ２０の動作に必要な充電池２１が内蔵されており、充電池２１は、表示部の表示駆動、シャッタ動作やピント動作の駆動、ストロボ動作の駆動等の各種動作の駆動に使用される。
【００５４】
充電池２１には、リード線２２により過充電防止機能部２３が接続されており、過充電防止機能部２３には、リード線２４によりダイナモ内蔵巻き取りリール２５のダイナモ部（発電機構）に接続されている。
【００５５】
ダイナモ内蔵巻き取りリール２５は、ダイナモを内蔵する以外は、上記第１の実施の形態の巻き取りリール５と同様の構成であり、本体筐体２に回転自在に取り付けられたリール軸６に固定されている。リール軸６には、上記第１の実施の形態と同様に、巻き取り用ひも７の一端部が固定されており、巻き取り用ひも７は、リール軸６に所定量巻き付けられているとともに、その他端部が巻き取り用バネ８の一端部に連結されている。
【００５６】
巻き取り用バネ８は、圧縮バネであり、その他端部が本体筐体２に固定されている留め金９に連結されている。
【００５７】
したがって、ダイナモ内蔵巻き取りリール２５は、巻き取り用ひも７を介して、巻き取り用バネ８により、図２の時計方向への回転力が作用している。
【００５８】
このダイナモ内蔵巻き取りリール２５には、ストラップ本体１０の基端部が固定されており、ストラップ本体１０の先端部には、装飾品としてのストラップエンドストッパー１１が取り付けられている。このストラップエンドストッパー１１には、滑り止め穴１１ａが形成されており、滑り止め穴１１ａは、ストラップエンドストッパー１１を掴んで操作する際の滑り止めとなっている。
【００５９】
また、この滑り止め穴１１ａには、アクセサリ等の装飾品を取り付けることができ、ストラップエンドストッパー１１またはストラップエンドストッパー１１の滑り止め穴１１ａに取り付けられた装飾品を引っ張ることで、より一層ストラップ本体１０を適切に引き出すことができる。
【００６０】
さらに、ストラップ本体１０にメートル寸法目盛りやインチ寸法目盛り等の長さ寸法目盛りを付与することで、メジャー機能を付与してもよい。
【００６１】
カメラ１の本体筐体２の側面には、図示しないが、ストラップ本体１０が通過するストラップ用穴が形成されており、ストラップ用穴を挟んで、スライドストッパー１２とストッパー受け１３が取り付けられている。ストッパー受け１３は、本体筐体２に固定されており、スライドストッパー１２は、図１に両矢印で示すように、ストッパー受け１３の方向及びストッパー受け１３とは反対方向に移動可能に本体筐体２に取り付けられているとともに、少なくともストラップ本体１０を挟んでストッパー受け１３に当接する位置で位置固定可能となっている。これらスライドストッパー１２とストッパー受け１３は、位置調整機構１４を構成している。
【００６２】
次に、本実施の形態の作用を説明する。本実施の形態のカメラ１は、ストラップ本体１０を、本体筐体２への巻き取り量を調整して、利用形態に応じた長さに調整することができる。
【００６３】
すなわち、カメラ１を使用しないときやバッグ等に収納しておく場合等のようにストラップ本体１０を利用する必要がないときには、ストラップ本体１０は、カメラ１の本体筐体２内のダイナモ内蔵巻き取りリール２５に巻き取られて、本体筐体２内に収納され、ストラップエンドストッパー１１のみが、本体筐体２外に出ている状態となっている。
【００６４】
この状態で、ストラップ本体１０を使用するときには、本体筐体２外に出ているストラップエンドストッパー１１を引っ張ることで、ストラップ本体１０が、ダイナモ内蔵巻き取りリール２５から繰り出され、ダイナモ内蔵巻き取りリール２５が、リール軸６とともに、図１の反時計方向に回転しつつストラップ本体１０を送り出す。このとき、ダイナモ内蔵巻き取りリール２５が回転することで、リール軸６も回転して、リール軸６に巻き取られている巻き取り用ひも７が巻き取り用バネ８を伸張させ、巻き取り用バネ８の張力が強まっていく。また、ストラップエンドストッパー１１に滑り止め穴１１ａが形成されているため、ストラップエンドストッパー１１を掴んで操作する際にストラップエンドストッパー１１が滑り止めとなって、適切にストラップ本体１０を引き出すことができる。
【００６５】
カメラ１の利用者が、ストラップ本体１０を必要な長さだけ引っ張り出すと、スライドストッパー１２をストッパー受け１３方向にスライド移動させて、ストラップ本体１０をスライドストッパー１２とストッパー受け１３とで挟み込んで、ストラップ本体１０の位置を完全に固定する。
【００６６】
したがって、ストラップ本体１０の長さを利用者の必要な任意の長さに調整することができる。
【００６７】
また、この状態で、ストラップ本体１０の長さを調節する際には、スライドストッパー１２をストッパー受け１３とは逆方向（ストッパー受け１３から引き離す方向）にスライド移動させることで、ストラップ本体１０の固定が解除され、再度、ストラップ本体１０を引き出すか、ストラップ本体１０が巻き取り用バネ８の張力で引き込まれるのを調整することで、任意の長さに調節することができる。
【００６８】
そして、カメラ１の本体筐体２内にストラップ本体１０を収納する際には、スライドストッパー１２をストッパー受け１３とは逆方向にスライドさせた状態を保持することで、巻き取り用バネ８が巻き取り用ひも７を介してバネ力（張力）で、リール軸６に巻かれている巻き取り用ひも７をリール軸６から引き出して、ダイナモ内蔵巻き取りリール２５を図１の時計方向に回転させ、ダイナモ内蔵巻き取りリール２５が、ストラップ本体１０をダイナモ内蔵巻き取りリール２５に自動的に巻き付けて、ストラップ本体１０を本体筐体２内に引き込む。
【００６９】
そして、ストラップ本体１０を引き出したり、収納することで、ダイナモ内蔵巻き取りリール２５が回転し、ダイナモ内蔵巻き取りリール２５が回転することで、ダイナモで発電が行われて、リード線２４、過充電防止機能部２３及びリード線２２を通して、充電池２１を充電する。
【００７０】
ダイナモ内蔵巻き取りリール２５と充電池２１の間に過充電防止機能部２３が設けられているため、充電池２１が過充電されることを適切に防止しつつ、充電池２１を充電することができ、充電池２１が破損されることを防止することができる。
【００７１】
このように、本実施の形態のカメラ２０は、カメラ２０の動作に必要な充電池２１を本体筐体２に内蔵し、ダイナモ内蔵巻き取りリール２５に、ストラップ本体１０の引き出し及び巻き取りに伴う回転で発電する発電機構を内蔵して、発電機構の発電で充電池２１を充電している。
【００７２】
したがって、撮影中に電池が無くなって、撮影ができなくなることを防止することができるとともに、環境対応性を向上させることができ、カメラ２０をより一層利用性の良好なものとすることができる。
【００７３】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００７４】
【発明の効果】
請求項１記載の発明のカメラによれば、本体筐体を吊り下げ可能なストラップを少なくともその先端部を本体筐体外に位置させ、その基端部を本体筐体に形成されている出し入れ口を通して当該本体筐体内に収納し、当該本体筐体内に、ストラップの基端部が取り付けられ、所定の弾性部材の弾性力で、当該ストラップを長さ調整自在に巻き取る巻き取りリールを収納するので、ユーザの手の大きさや体の大小及びカメラの利用形態等に応じてストラップの長さを調節することができ、例えば、カメラを頻繁に使用する場合は、適度な短さにストラップ長を調節してハンドストラップとしの機動性を向上させ、カメラを殆ど使用しない場合は、適度な長さにストラップ長を調節しネックストラップとして移動の負荷を軽減し、さらに、バック等への収納時には、ストラップを完全に本体へ収納して、ストラップを邪魔にならないようにする等のストラップの長さを自由に調節することができ、カメラを利用性の良好なものとすることができる。
【００７５】
請求項２記載の発明のカメラによれば、本体筐体のストラップの出し入れ口部分に、当該ストラップを任意の引き出し位置で位置固定する位置調整機構部を設けているので、ストラップの長さを簡単かつ自由に調節して固定することができ、カメラを利用性の良好なものとすることができる。
【００７６】
請求項３記載の発明のカメラによれば、ストラップの本体筐体から突出した先端部に、当該ストラップの先端部が当該本体筐体内に引き込まれるのを防止するストラップエンドストッパーを取り付けているので、ストラップの先端部が本体筐体内に引き込まれてしまうのをストラップエンドストッパーで防止して、ストラップを簡単に引き出せるようにすることができ、カメラをより一層利用性の良好なものとすることがことができる。
【００７７】
請求項４記載の発明のカメラによれば、ストラップエンドストッパーに、アクセサリ等の装飾品を取付可能で、所定の滑り止め加工の施されている穴部を形成しているので、ストラップエンドストッパーの位置で本体筐体内に引き込まれるのが防止された状態のストラップをストラップエンドストッパーでより適切に引き出せるようにすることができるとともに、装飾品を任意に取り付け可能とすることができ、カメラをより一層利用性の良好なものとすることができるとともに、愛着感を向上させることができる。
【００７８】
請求項５記載の発明のカメラによれば、ストラップに、所定の長さ寸法目盛りを付与しているので、マクロ撮影・望遠撮影・近距離撮影・通常撮影時等に、被写体との距離を簡単に測定したり、日用品の大きさ等を簡単に測定することができ、カメラをより一層利用性の良好なものとすることができる。
【００７９】
請求項６記載の発明のカメラによれば、カメラの動作に必要な充電池を本体筐体に内蔵し、巻き取りリールに、ストラップの引き出し及び巻き取りに伴う回転で発電する発電機構を内蔵して、発電機構の発電で充電池を充電するので、撮影中に電池が無くなって、撮影ができなくなることを防止することができるとともに、環境対応性を向上させることができ、カメラをより一層利用性の良好なものとすることができる。
【図面の簡単な説明】
【図１】本発明のカメラの第１の実施の形態を適用したカメラの概略構成斜視図。
【図２】本発明のカメラの第２の実施の形態を適用したカメラの概略構成斜視図。
【符号の説明】
１　カメラ
２　カメラ本体部
３　レンズ部
４　ファインダ部
５　巻き取りリール
６　リール軸
７　巻き取り用ひも
８　巻き取り用バネ
９　留め金
１０　ストラップ本体
１１　ストラップエンドストッパー
１１ａ　滑り止め穴
１２　スライドストッパー
１３　ストッパー受け
１４　位置調整機構
２０　カメラ
２１　充電池
２２、２４　リード線
２３　過充電防止機能部
２５　ダイナモ内蔵巻き取りリール
【図１】
2004013004.tif 000003
【図２】
2004013004.tif 000004